【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
４原入力信号を表示デバイスの４つのサブピクセルの群にマッピングする方法であって、
前記４原入力信号は、各々が第１成分のための値、第２成分のための値、第３成分のための値及び第４成分のための値を有する入力サンプルのシーケンスを有し、
前記４つのサブピクセルの群は、第１の原色を持つ光を供給するための第１サブピクセル、第２の原色を持つ光を供給するための第２サブピクセル、第３の原色を持つ光を供給するための第３サブピクセル及び第４の色を持つ第４の光を供給するための第４サブピクセルを有し、前記第１、第２、第３及び第４の色は全て異なり、前記第４の色は前記第１、第２及び第３の色の色域内にあり、
前記方法は、前記４原入力信号の入力サンプルを、特定の入力サンプルの前記第１成分、第２成分及び第３成分を４つの隣接するサブピクセルの特定の群における第１、第２及び第３サブピクセルに各々割り当てると共に、他の入力サンプルの第４成分を前記４つの隣接するサブピクセルの特定の群における第４サブピクセルに割り当てることによりサブサンプリングするステップを有し、前記特定の入力サンプル及び前記他の入力サンプルが前記表示デバイス上の隣接する位置に関連付けられる方法。
【請求項２】
請求項１に記載の方法において、前記第１原色が赤であり、前記第２原色が緑であり、前記第３原色が青である方法。
【請求項３】
請求項２に記載の方法において、前記表示デバイスがバックライトユニットにより照明され、前記第１サブピクセルには赤のフィルタが関連付けられ、前記第２サブピクセルには緑のフィルタが関連付けられ、前記第３サブピクセルには青のフィルタが関連付けられ、前記バックライトユニットにより発生される光が前記第４サブピクセルをフィルタされずに通過する方法。
【請求項４】
請求項１ないし３の何れか一項に記載の方法において、前記第４の色が白である方法。
【請求項５】
請求項１に記載の方法であって、前記４原入力信号において、前記他の入力サンプルは前記特定の入力サンプルに対して当該群における第１、第２及び第３サブピクセルの部分群に対して第４サブピクセルの位置に対応するように配置される方法。
【請求項６】
請求項５に記載の方法であって、ビデオ入力画像の特定のラインにおいて前記他の入力サンプルは前記特定の入力サンプルに直に後続するか又は先行し、前記方法が、
第３入力サンプル及び第４入力サンプルをサブピクセルの他の群にサブサンプリングするステップを有し、該サブピクセルの他の群は、第１の色を持つ光を供給するための第５サブピクセル、第２の色を持つ光を供給するための第６サブピクセル、第３の色を持つ光を供給するための第７サブピクセル及び第４の色を持つ光を供給するための第８サブピクセルを有し、
前記サブサンプリングするステップは、前記第４入力サンプルの第１成分、第２成分及び第３成分を前記第５、第６及び第７サブピクセルに各々割り当てると共に、前記第３入力サンプルの第４成分を前記第８サブピクセルに割り当てるステップを有し、前記４原入力信号において、前記第４入力サンプルは前記第３入力サンプルに対して或る群における第５、第６及び第７サブピクセルの部分群に対して第８サブピクセルの位置に対応するように配置され、前記ビデオ入力画像の他の特定のラインにおいて前記第４入力サンプルは前記第３入力サンプルに直に後続するか又は先行し、該他の特定のラインは前記特定のラインに直に後続するか又は先行し、前記特定のライン及び前記他の特定のラインが水平又は垂直に延びる方法。
【請求項７】
４つのサブピクセルの群を持つ表示デバイスを駆動する方法において、該方法が、
３原色入力信号を４原入力信号に、一方における第１成分、第２成分及び第３成分の組み合わせの輝度並びに他方における第４成分の輝度に関して等しい輝度という制約の下で変換する方法と、
請求項１に記載のマッピングする方法と、
を有する方法。
【請求項８】
プロセッサに請求項１に記載の方法を実行させるプロセッサ読み取り可能なコードを有するコンピュータプログラムであって、前記プロセッサ読み取り可能なコードは前記４原入力信号の入力サンプルを、特定の入力サンプルの前記第１成分、第２成分及び第３成分を４つの隣接するサブピクセルの特定の群における第１、第２及び第３サブピクセルに各々割り当てると共に、他の入力サンプルの第４成分を前記４つの隣接するサブピクセルの特定の群における第４サブピクセルに割り当てることによりサブサンプリングするためのコードを有し、前記特定の入力サンプル及び前記他の入力サンプルが前記表示デバイス上の隣接する位置に関連付けられるコンピュータプログラム。
【請求項９】
請求項８に記載のコンピュータプログラムにおいて、該コンピュータプログラムが画像処理アプリケーションへのソフトウェアプラグインであるコンピュータプログラム。
【請求項１０】
４原入力信号を表示デバイスの４つのサブピクセルの群にマッピングするシステムであって、
前記４原入力信号は、各々が第１成分のための値、第２成分のための値、第３成分のための値及び第４成分のための値を有するような入力サンプルのシーケンスを有し、
前記４つのサブピクセルの群は、第１の原色を持つ光を供給するための第１サブピクセル、第２の原色を持つ光を供給するための第２サブピクセル、第３の原色を持つ光を供給するための第３サブピクセル及び第４の色を持つ第４の光を供給するための第４サブピクセルを有し、前記第１、第２、第３及び第４の色は全て異なり、前記第４の色は前記第１、第２及び第３の色の色域内にあり、
前記システムは、前記４原入力信号の入力サンプルを、特定の入力サンプルの前記第１成分、第２成分及び第３成分を４つの隣接するサブピクセルの特定の群における第１、第２及び第３サブピクセルに各々割り当てると共に、他の入力サンプルの第４成分を前記４つの隣接するサブピクセルの特定の群における第４サブピクセルに割り当てることによりサブサンプリングするマッパを有し、前記特定の入力サンプル及び前記他の入力サンプルが前記表示デバイス上の隣接する位置に関連付けられるシステム。
【請求項１１】
４つのサブピクセルの群を持つ表示デバイスを駆動する回路において、
３原色入力信号を４原入力信号に、一方における第１成分、第２成分及び第３成分の組み合わせの輝度並びに他方における第４成分の輝度に関して等しい輝度という制約の下で変換する変換器と、
請求項１０に記載のシステムと、
を有する回路。
【請求項１２】
請求項１１に記載の回路と、４つのサブピクセルの群を持つ表示デバイスとを有する表示装置。
【請求項１３】
請求項１１に記載の回路と、４つのサブピクセルの群を持つ表示デバイスとを有する携帯装置。
【請求項１４】
ユーザの表示器に情報を供給するための配信局を有する放送システムにおいて、前記配信局が請求項１０に記載のシステムを有し、前記情報が前記ユーザの表示器の４つのサブピクセルの特定の群に対して前記特定の入力サンプルの第１、第２及び第３成分並びに前記他の入力サンプルの第４成分を有する放送システム。
【請求項１５】
ユーザの表示器に情報を供給するステップを有する放送方法において、前記供給するステップが請求項１に記載の方法を実行するステップを有し、前記情報が前記ユーザの表示器の４つのサブピクセルの特定の群に対して前記特定の入力サンプルの第１、第２及び第３成分並びに前記他の入力サンプルの第４成分を有する放送方法。